(57)【要約】【課題】複数の撮像部を有するデジタルカメラのいずれかの撮像部によって撮像された画像を再生する際に、別の撮像部によって同時に撮像された画像の存在を操作者に知らせることができるようにする。【解決手段】広角画像と光学ズームを用いた望遠画像とを同時撮影可能な２眼撮像装置で撮影された複数画像を用いて、一方の画像を再生ズーム表示中に、そのズーム範囲に応じて、望遠画像または広角画像に変更した方が高精細な画像が得られる場合には、画像を変更するためのアイコン（ボタン）を表示し、前記ボタンを操作された場合には表示画像を切り替えるようにすることにより、広角画像と光学ズームを用いた望遠画像を同時に撮影した場合において、再生時の利便性を向上させることができるようにする。【選択図】図１
2012191439.tif 000002
【特許請求の範囲】
【請求項１】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、
前記表示部に表示される前記撮像画像と同時に撮像された画像があるか否かを判定する判定手段と、
前記判定手段による判定の結果、前記表示部に表示される撮像画像と同時に撮像された画像がある場合に、前記表示部に表示中の前記撮像画像の画像表示率に応じて前記表示部にアイコンを表示する表示手段と、
前記表示部に前記アイコンが表示されている際に、前記操作者の指示に応じて、前記表示部に表示する画像を前記撮像画像から同時撮像された画像へ切り替える制御を行う表示制御手段とを備えることを特徴とする撮像装置。
【請求項２】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、
前記表示部に前記広角画像を表示する際、前記表示部に表示される前記広角画像と同時に撮像された前記望遠画像があるか否かを判定する判定手段と、
前記判定手段によって同時撮像された前記望遠画像があると判定され、かつ前記表示部に表示される画像領域が同時に撮像された前記望遠画像の画像領域内である場合には、前記広角画像とアイコンとを前記表示部に表示する表示手段と、
前記表示部に前記アイコンが表示されている場合に、操作者の指示に応じて、前記表示部に表示する画像を、前記広角画像から前記望遠画像へ切り替える表示制御手段とを備えることを特徴とする撮像装置。
【請求項３】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、
前記表示部に前記望遠画像を表示する際、表示される前記望遠画像と同時に撮像された前記広角画像があるか否かを判定する判定手段と、
前記判定手段によって同時撮像された前記広角画像があると判定され、かつ前記表示部に表示される画像領域が前記望遠画像の全領域である場合には、前記望遠画像とアイコンとを前記表示部に表示する表示手段と、
前記表示部に前記アイコンが表示されている場合に、操作者の指示に応じて、前記表示部に表示する画像を、前記望遠画像から前記広角画像へ切り替える表示制御手段とを備えることを特徴とする撮像装置。
【請求項４】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、
前記表示部に前記広角画像を表示する際、表示される前記広角画像と同時に撮像された前記望遠画像があるか否かを判定する判定手段と、
前記判定手段によって同時撮像された前記望遠画像があると判定された場合、前記表示部による前記広角画像の表示中に、操作者により画像の拡大表示指示がなされ、当該拡大表示指示に応じて表示される画像領域が、前記望遠画像の画角内となるときに、前記表示部に表示する画像を、前記広角画像から前記望遠画像へ切り替える表示制御手段とを備えることを特徴とする撮像装置。
【請求項５】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、
前記表示部に前記広角画像を表示する際、表示される前記広角画像と同時に撮像された前記望遠画像があるか否かを判定する判定手段と、
前記判定手段によって同時撮像された前記望遠画像があると判定された場合、前記表示部による前記広角画像の表示中に、操作者により画像の印刷領域指示がなされ、当該印刷領域指示に応じて指定される画像領域が、前記望遠画像の画角内となるときには、前記表示部に表示された画像の印刷用のデータ出力を、前記広角画像から前記望遠画像へ切り替える外部出力制御手段とを備えることを特徴とする撮像装置。
【請求項６】
前記広角画像と前記望遠画像は、一度の撮像指示で撮像された画像であることを特徴とする請求項１乃至５の何れか１項に記載の撮像装置。
【請求項７】
前記表示部はタッチパネルであり、前記操作者の指示はタッチパネルに表示された前記アイコンに触れることであることを特徴とする請求項１乃至３の何れか１項に記載の撮像装置。
【請求項８】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法であって、
前記表示部に表示される前記撮像画像と同時に撮像された画像があるか否かを判定する判定工程と、
前記判定工程による判定の結果、前記表示部に表示される撮像画像と同時に撮像された画像がある場合に、前記表示部に表示中の前記撮像画像の画像表示率に応じて前記表示部にアイコンを表示する表示工程と、
前記表示部に前記アイコンが表示されている際に、前記操作者の指示に応じて、前記表示部に表示する画像を前記撮像画像から同時撮像された画像へ切り替える制御を行う表示制御工程とを備えることを特徴とする撮像方法。
【請求項９】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法であって、
前記表示部に前記広角画像を表示する際、前記表示部に表示される前記広角画像と同時に撮像された前記望遠画像があるか否かを判定する判定工程と、
前記判定工程によって同時撮像された前記望遠画像があると判定され、かつ前記表示部に表示される画像領域が同時に撮像された前記望遠画像の画像領域内である場合には、前記広角画像とアイコンとを前記表示部に表示する表示工程と、
前記表示部に前記アイコンが表示されている場合に、操作者の指示に応じて、前記表示部に表示する画像を、前記広角画像から前記望遠画像へ切り替える表示制御工程とを備えることを特徴とする撮像方法。
【請求項１０】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法であって、
前記表示部に前記望遠画像を表示する際、表示される前記望遠画像と同時に撮像された前記広角画像があるか否かを判定する判定工程と、
前記判定工程によって同時撮像された前記広角画像があると判定され、かつ前記表示部に表示される画像領域が前記望遠画像の全領域である場合には、前記望遠画像とアイコンとを前記表示部に表示する表示工程と、
前記表示部に前記アイコンが表示されている場合に、操作者の指示に応じて、前記表示部に表示する画像を、前記望遠画像から前記広角画像へ切り替える表示制御工程とを備えることを特徴とする撮像方法。
【請求項１１】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法であって、
前記表示部に前記広角画像を表示する際、表示される前記広角画像と同時に撮像された前記望遠画像があるか否かを判定する判定工程と、
前記判定工程によって同時撮像された前記望遠画像があると判定された場合、前記表示部による前記広角画像の表示中に、操作者により画像の拡大表示指示がなされ、当該拡大表示指示に応じて表示される画像領域が、前記望遠画像の画角内となるときに、前記表示部に表示する画像を、前記広角画像から前記望遠画像へ切り替える表示制御工程とを備えることを特徴とする撮像方法。
【請求項１２】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法であって、
前記表示部に前記広角画像を表示する際、表示される前記広角画像と同時に撮像された前記望遠画像があるか否かを判定する判定工程と、
前記判定工程によって同時撮像された前記望遠画像があると判定された場合、前記表示部による前記広角画像の表示中に、操作者により画像の印刷領域指示がなされ、当該印刷領域指示に応じて指定される画像領域が、前記望遠画像の画角内となるときには、前記表示部に表示された画像の印刷用のデータ出力を、前記広角画像から前記望遠画像へ切り替える外部出力制御工程とを備えることを特徴とする撮像方法。
【請求項１３】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法の各工程をコンピュータに実行させるプログラムであって、
前記表示部に表示される前記撮像画像と同時に撮像された画像があるか否かを判定する判定工程と、
前記判定工程による判定の結果、前記表示部に表示される撮像画像と同時に撮像された画像がある場合に、前記表示部に表示中の前記撮像画像の画像表示率に応じて前記表示部にアイコンを表示する表示工程と、
前記表示部に前記アイコンが表示されている際に、前記操作者の指示に応じて、前記表示部に表示する画像を前記撮像画像から同時撮像された画像へ切り替える制御を行う表示制御工程とをコンピュータに実行させることを特徴とするプログラム。
【請求項１４】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法の各工程をコンピュータに実行させるプログラムであって、
前記表示部に前記広角画像を表示する際、前記表示部に表示される前記広角画像と同時に撮像された前記望遠画像があるか否かを判定する判定工程と、
前記判定工程によって同時撮像された前記望遠画像があると判定され、かつ前記表示部に表示される画像領域が同時に撮像された前記望遠画像の画像領域内である場合には、前記広角画像とアイコンとを前記表示部に表示する表示工程と、
前記表示部に前記アイコンが表示されている場合に、操作者の指示に応じて、前記表示部に表示する画像を、前記広角画像から前記望遠画像へ切り替える表示制御工程とをコンピュータに実行させることを特徴とするプログラム。
【請求項１５】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法の各工程をコンピュータに実行させるプログラムであって、
前記表示部に前記望遠画像を表示する際、表示される前記望遠画像と同時に撮像された前記広角画像があるか否かを判定する判定工程と、
前記判定工程によって同時撮像された前記広角画像があると判定され、かつ前記表示部に表示される画像領域が前記望遠画像の全領域である場合には、前記望遠画像とアイコンとを前記表示部に表示する表示工程と、
前記表示部に前記アイコンが表示されている場合に、操作者の指示に応じて、前記表示部に表示する画像を、前記望遠画像から前記広角画像へ切り替える表示制御工程とをコンピュータに実行させることを特徴とするプログラム。
【請求項１６】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法の各工程をコンピュータに実行させるプログラムであって、
前記表示部に前記広角画像を表示する際、表示される前記広角画像と同時に撮像された前記望遠画像があるか否かを判定する判定工程と、
前記判定工程によって同時撮像された前記望遠画像があると判定された場合、前記表示部による前記広角画像の表示中に、操作者により画像の拡大表示指示がなされ、当該拡大表示指示に応じて表示される画像領域が、前記望遠画像の画角内となるときに、前記表示部に表示する画像を、前記広角画像から前記望遠画像へ切り替える表示制御工程とをコンピュータに実行させることを特徴とするプログラム。
【請求項１７】
第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置の撮像方法の各工程をコンピュータに実行させるプログラムであって、
前記表示部に前記広角画像を表示する際、表示される前記広角画像と同時に撮像された前記望遠画像があるか否かを判定する判定工程と、
前記判定工程によって同時撮像された前記望遠画像があると判定された場合、前記表示部による前記広角画像の表示中に、操作者により画像の印刷領域指示がなされ、当該印刷領域指示に応じて指定される画像領域が、前記望遠画像の画角内となるときには、前記表示部に表示された画像の印刷用のデータ出力を、前記広角画像から前記望遠画像へ切り替える外部出力制御工程とをコンピュータに実行させることを特徴とするプログラム。
【請求項１８】
請求項１３〜１７の何れか１項に記載のプログラムを記憶したことを特徴とするコンピュータ読み取り可能な記憶媒体。
【発明の詳細な説明】
【技術分野】
【０００１】
本発明は撮像装置および撮像方法に関し、特に、第１の撮像部と、前記第１の撮像部よりも高倍率な望遠画像を撮像する第２の撮像部とを備えた撮像装置に用いて好適な技術に関する。
【背景技術】
【０００２】
従来、画像を表示する液晶モニタなどの表示装置を備え、撮像された画像を液晶モニタに表示させる再生機能を備えるデジタルカメラが知られている。このようなデジタルカメラの再生機能においては、記録された画像の全体領域を表示する機能と、記録された画像の一部分を拡大表示する機能とを備えている。そして、拡大表示機能については、操作者の指示により拡大倍率と拡大位置を指定することで、操作者の所望する拡大表示を実行可能なデジタルカメラが知られている。
【０００３】
また、複数の撮像部を有するデジタルカメラが知られており、特許文献１に示すように広角画像と望遠画像を同時に撮像可能なカメラシステムが知られている。特許文献１に記載のカメラシステムは、広角画像の画角内に望遠画像の撮像領域を表示することで、撮像時の利便性を向上させるというものである。
【０００４】
また、撮影画像を表示部に表示し、画像の一部領域を任意の倍率により拡大表示し、拡大表示領域をトリミング画像として切り出して記録媒体に記録する機能を有する電子カメラも知られている（特許文献２参照）。
【先行技術文献】
【特許文献】
【０００５】
【特許文献１】特開２００６−２３８３２６号公報
【特許文献２】特開２００２−２２３４１３号公報
【発明の概要】
【発明が解決しようとする課題】
【０００６】
しかしながら、前述の特許文献１に記載のカメラシステムでは、複数の撮像部で撮像された各々の撮像画像の再生方法までは触れられていなかった。例えば、再生される画像が、１つの撮像部のみによって撮影された単独撮像画像であるのか、複数の撮像部で撮像された同時撮像画像であるか否かの判断がつかなかった。
【０００７】
また、複数の撮像部によって、広角画像と光学ズームを用いた望遠画像を同時に撮影した場合に、再生対象の画像を適宜選択する機能を有していなかった。よって、再生時の利便性に欠けてしまうという問題があった。
また、特許文献２に記載の電子カメラの場合には、拡大表示領域をトリミング画像として切り出して記録媒体に記録する際に、広角画像を切り出すのがよいか、望遠画像を切り出すのがよいか、容易に判断することができない問題点があった。
本発明は前述の問題点に鑑み、複数の撮像部を有するデジタルカメラのいずれかの撮像部によって撮像された画像を再生する際に、別の撮像部によって同時に撮像された画像の存在を操作者に知らせることができるようにすることを目的とする。
また、広角画像の再生表示と望遠画像の再生表示とを適応的に切り替えることができるようにすることを第２の目的とする。
【課題を解決するための手段】
【０００８】
本発明の撮像装置は、第１の撮像部と、前記第１の撮像部よりも高倍率な望遠画像を撮像する第２の撮像部と、撮像画像を再生表示する表示部と、操作者の指示を受ける操作入力部とを有し、前記第１の撮像部による広角画像の撮像と、前記第２の撮像部による望遠画像の撮像を同時に行うことが可能な撮像装置であって、前記表示部に表示される前記撮像画像と同時に撮像された画像があるか否かを判定する判定手段と、前記判定手段による判定の結果、前記表示部に表示される撮像画像と同時に撮像された画像がある場合に、前記表示部に表示中の前記撮像画像の画像表示率に応じて前記表示部にアイコンを表示する表示手段と、前記表示部に前記アイコンが表示されている際に、前記操作者の指示に応じて、前記表示部に表示する画像を前記撮像画像から同時撮像された画像へ切り替える制御を行う表示制御手段とを備えることを特徴とする。
【発明の効果】
【０００９】
本発明によれば、広角画像と光学ズームを用いた望遠画像を同時に撮像可能な撮像装置において、撮像画像を表示部への表示する際の表示領域に応じて、同時に撮像された画像の存在を操作者に知らせることができる。さらに、簡易な操作で同時に撮像した画像間の表示切り替えを実現することができる。
また、本発明の他の特徴によれば、広角または望遠画像を同時撮影可能な撮像装置において、撮像画像の表示にて、広角画像または望遠画像を適応的に切り替えることで、より高精細な画像を表示部へ表示することができる。
【図面の簡単な説明】
【００１０】
【図１】本発明の撮像装置の構成例を説明するブロック図である。
【図２】同一の被写体を同タイミングに撮像した２つの画像を示す図である。
【図３】第１の実施形態の表示制御部の制御について説明する図である。
【図４】表示制御部により行われる処理手順を説明するフローチャートである。
【図５】２眼撮像装置にて撮像した画像のファイル名について説明する図である。
【図６】第２の実施形態の撮像装置の外観を示す図である。
【図７】第２の実施形態の表示制御部の制御について説明する図である。
【図８】第３の実施形態の撮像装置による撮像画像の表示例を示す図である。
【図９】第３の実施形態における拡大表示処理手順を説明するフローチャートである。
【図１０】第４の実施形態の撮像装置の構成を示すブロック図である。
【図１１】トリミング印刷処理を説明するフローチャートである。
【発明を実施するための形態】
【００１１】
以下に、本発明の好ましい実施の形態を、図面を用いて説明する。
（第１の実施形態）
図１は、本発明を用いる撮像装置の構成例を説明するブロック図である。本実施形態の撮像装置は２つの撮像部を有する２眼撮像装置である。
【００１２】
まず、撮像処理について説明する。第１の撮像部として設けられている撮像部１０１および第２の撮像部として設けられている撮像部１０２は撮像性能が同等の撮像部である。全体構成としては、撮影レンズおよび結像した画像を光電変換するための撮像素子と、撮像素子から読み出したアナログ信号をデジタル信号へ変換するＡ/Ｄ変換処理部等を含む。さらに、変換されたデジタル信号から輝度信号や色差信号を生成して、メモリバス１０４を通してメモリ１０８へ書き込む。
【００１３】
撮像部制御部１０３は、撮像部１０１および撮像部１０２に対して、撮像時のズーム制御等、撮像部の制御を行う。操作入力部１０７にて、光学ズーム制御などの操作者からの指示に応じて、ＣＰＵ１０６およびＣＰＵバス１０５を経由して、撮像部制御部１０３にて撮像部１０１および撮像部１０２の制御を行う。ここで、操作者は撮像部１０１および撮像部１０２へ、各々異なる光学ズーム率を設定するなど、各々別の設定を行うことが可能である。撮像部制御部１０３は、撮像時の撮像部１０１および撮像部１０２の光学ズーム情報をメモリ１０８へ書き込む。
【００１４】
次に、撮像部１０１および撮像部１０２にてメモリ１０８へ書き込まれたデータを、圧縮／伸張処理部１０９にて、読みだし、所定の符号化方式に則って符号化を行い、符号化済みのデータをメモリ１０８へ書き戻す。圧縮／伸張処理部１０９にてメモリ１０８へ書き込まれた符号化済みのデータ、および撮像部制御部１０３にてメモリ１０８へ書き込まれた光学ズーム情報による撮像画像データを、記録媒体制御部１１２によりメモリ１０８から読み出し、記録媒体１１３へ書き込む。このような処理により、異なる光学ズーム率で同タイミングに撮像した２つの撮像画像のデータを記録媒体１１３へ記録する。
【００１５】
次に、撮像画像の再生処理について説明する。
記録媒体１１３に記録されている撮像画像データを記録媒体制御部１１２により読みだし、読み出したデータを、メモリ１０８へ書き込む。記録媒体１１３より読み出してメモリ１０８へ書き込んだデータをメモリ１０８から読みだし、圧縮／伸張処理部１０９にて伸張処理を行い、メモリ１０８へデータを書き戻す。
【００１６】
また、表示制御部１１０の表示制御により、伸張処理後のデータをメモリ１０８より読み出し、所望の制御により撮像画像を表示部１１１へ再生表示する。ここで、表示部１１１はタッチパネルであるものとする。
【００１７】
次に、図１に示す表示制御部１１０の制御例について、図２、図３、図４を用いてより詳細に説明する。
図２は、本実施形態の２眼撮像装置を用いて異なる光学ズーム比で、同一の被写体を同タイミングに撮像した２つの画像を示す図である。図２（ア）は広角撮像画像、（イ）は望遠撮像画像である。ここで、図２（ア）に示した広角撮像画像のファイル名はＡＡＡ０００１Ｗ．ＪＰＧであり、図２（イ）に示した望遠撮像画像のファイル名はＡＡＡ０００１Ｔ．ＪＰＧである。ファイル名の詳細については後述する。
【００１８】
図３（ア）は、記録媒体に記録された、図２（ア）の広角撮像画像を表示部１１１に表示した様子を示す図である。ここで、操作入力部１０７より広角撮像画像の一部領域の拡大表示、いわゆる拡大表示領域指示がされると、図３（イ）に示すように、広角撮像画像の一部領域が拡大表示される。
【００１９】
図３（ウ）に示す図は、図３（イ）で示す広角撮像画像をさらに拡大表示した図である。図３（ウ）は、撮像時に画像データとともに記録された広角撮像画像の光学ズーム情報と、望遠撮像画像の光学ズーム情報より、表示部１１１に拡大表示された領域が、図２（イ）に示す同タイミングに撮像された望遠撮像画像の画角内であると検出された場合である。このような場合には、表示部右上に、同時に撮像した図２（イ）の望遠撮像画像の存在を操作者に知らせるためにアイコンボタン３０１が表示される。
【００２０】
タッチパネルである表示部１１１へアイコンボタン３０１を表示中に、操作者がアイコンボタン３０１を押す。これにより、図３（エ）で示すように表示部１１１に表示される画像が、ファイル名ＡＡＡ０００１Ｗ．ＪＰＧである広角撮像画像から、ファイル名ＡＡＡ０００１Ｔ．ＪＰＧである望遠撮像画像に切り替わる。また、図３（エ）に示すように、望遠撮像画像表示中に画像表示率１００％、すなわち再生ズームが使用されていない場合には、表示部右上に同時に撮像した広角撮像画像の存在を操作者に知らせるアイコンボタン３０２を表示する。
【００２１】
次に、図３（オ）は、望遠撮像画像表示中に、操作入力部１０７より拡大表示が指示されて、望遠撮像画像の一部領域を拡大表示した図である。拡大表示されることで、図３（エ）のアイコンボタン３０２は非表示となる。
【００２２】
次に、図３（オ）に示す拡大表示の状態から、操作入力部１０７の指示により、画像表示率１００％とした図を図３（カ）に示す。画像表示率１００％となることで、アイコンボタン３０３が表示される。タッチパネルである表示部１１１上のアイコンボタン３０３を操作者が押すことで、図３（キ）で示すように表示画像がファイル名ＡＡＡ０００１Ｔ．ＪＰＧである望遠撮像画像から、ファイル名ＡＡＡ０００１Ｗ．ＪＰＧである広角撮像画像に切り替わる。
【００２３】
次に、表示制御部１１０における処理を図４のフローチャートを用いて説明する。
まず、任意の撮像画像（以下、Ａ画像）を表示部１１１に表示する（Ｓ４０１）。次に、操作入力部１０７より再生ズーム率の変更指示が行われる（Ｓ４０２）。次に、表示制御部１１０にて、表示部１１１に現在表示中のＡ画像と同時に撮像した画像（以下、Ｂ画像）の有無を検出する（Ｓ４０３）。
【００２４】
同時に撮像した画像の有無を検出する方法として、撮像された画像のファイル名を用いて検出する。有無検出の結果、Ｂ画像がないと判定されると、操作入力部１０７より指示された再生ズーム率でＡ画像を表示し（Ｓ４０４）、本フローチャートを終了する。
【００２５】
一方、Ｂ画像ありと判定された場合には、表示部１１１に現在表示中のＡ画像がＢ画像に対して広角側で撮像した画像であるか否かを判定する（Ｓ４０５）。Ａ画像が広角側画像であると判定されると、Ｓ４０２にて指示された再生ズーム率によるＡ画像の表示領域が、Ｂ画像の画像領域内であるか否かを判定する（Ｓ４０６）。
【００２６】
Ｂ画像領域内でないと判定された場合には、Ｓ４０２で操作入力部１０７より指示された再生ズーム率でＡ画像を表示して本フローチャートを終了する（Ｓ４０７）。また、Ａ画像の表示領域がＢ画像領域内であると判定されると、Ｓ４０２で操作入力部１０７より指示された再生ズーム率でＡ画像を表示するとともに、Ｂ画像が存在することを示すアイコンボタンを表示部１１１上に表示する（Ｓ４０８）。
【００２７】
次に、操作者がアイコンボタンにタッチしたか否かを判定し（Ｓ４０９）、タッチされない場合は、表示部１１１にＡ画像とアイコンボタンを表示した状態で本フローチャートを終了する。また、アイコンボタンに操作者がタッチした場合には、表示部１１１に表示する画像をＡ画像からＢ画像に切り替えて表示し（Ｓ４１０）、本フローチャート終了する。
【００２８】
一方、Ｓ４０５にて、Ａ画像が広角側画像ではない、つまり望遠側画像であると判定されると、Ｓ４０２にて指示された再生ズーム率によるＡ画像の表示領域がＡ画像の全領域あるか否かを判定する（Ｓ４１１）。Ａ画像の全領域でない場合は、Ｓ４０２で操作入力部１０７より指示された再生ズーム率でＡ画像を表示し（Ｓ４１２）、本フローチャートを終了する。
【００２９】
次に、Ｓ４１１にて、Ａ画像の全領域表示と判定された場合には、Ｓ４０２で操作入力部１０７より指示された再生ズーム率でＡ画像を表示するとともに、Ｂ画像が存在することを示すアイコンボタンを表示部１１１上に表示する（Ｓ４１３）。次に、操作者がアイコンボタンにタッチしたか否かを判定し（Ｓ４１４）、タッチされない場合は、表示部１１１にＡ画像とアイコンボタンを表示した状態で本フローチャートを終了する。アイコンボタンに操作者がタッチした場合には、表示部１１１に表示する画像をＡ画像からＢ画像に切り替えて表示し（Ｓ４１５）、本フローチャート終了する。
【００３０】
次に、図５を用いて本実施形態の２眼撮像装置にて撮像した画像のファイル名について説明する。ここでは、２眼撮像装置により撮像したＪＰＥＧ画像について説明する。２眼撮像装置にて、広角画像と、高倍率な望遠画像が一度の撮像指示で同時に撮像した場合には、各々図５（ア）、（イ）に示す形式に則ったファイル名となる。
【００３１】
図５（ア）は、同時撮像された広角画像であり、５０１は任意の数字または英字（ここではＡＡＡとする）にて構成される。次に５０２は、シャッターボタンが押されて撮像されるたびにカウントアップするカウンタ数となる。５０３が同時撮像された広角画像であることを示し、５０２のカウンタ数の後ろに英字のＷが付加される。５０４はＪＰＥＧを示す拡張子である。
【００３２】
次に、図５（イ）は、同時撮像された望遠画像であり、５０１、５０２、５０４は図５（ア）に示す広角画像と同様であるが、５０３の英字が望遠画像を示すＴとなる点が異なる。また、同時撮像された２つの画像については、５０２のカウンタ数は同じ値となる。
【００３３】
次に、図５（ウ）は、前述した広角画像と望遠画像の同時撮像された画像ではなく、２つの撮像部のうちどちらか１つのみを用いて撮像された単独の画像である。５０１、５０２、５０４は、図５（ア）、（イ）と同様であり、図５（ア）、（イ）と異なる点は、５０３に示す英字がないことである。つまり、５０３の英字がないものは単独撮像画像、５０３の英字がＷであるものは、同時撮像の広角側で撮像された画像であり、５０３の英字がＴであるものは、同時撮像の望遠側で撮像された画像である。
【００３４】
前述の説明において、同時に撮像した画像の有無を検出する方法として、各々の画像のファイル名を用いて検出する方法について述べた。しかし、撮像時に同時撮像された画像の管理情報に相互のファイル名を埋め込み、検出時に管理情報に相互ファイル名が埋め込まれているか否かを検出する方法でもよいものとする。また、撮像時に同時撮像された画像の管理情報に共通のＩＤ情報を埋め込み、管理情報に埋め込まれているＩＤ情報が共通のＩＤ情報であるか否かを検出する方法でもよいものとする。さらに、撮像時に同時撮像された画像の管理情報に撮像日時を埋め込み、検出時に管理情報に埋め込まれた撮像日時が等しいか否かを検出する方法でもよいものとする。
【００３５】
（第２の実施形態）
第１の実施形態では、表示装置としてタッチパネルを用いた２眼撮像装置について説明したが、ここでは、表示装置はタッチパネルではなく、表示機能のみを有する表示装置を備える２眼撮像装置について説明する。内部のブロック構成は、図１と同等であるため説明を省略する。
【００３６】
図６は、本実施形態の撮像装置の外観を示す図であり、撮像装置の背面図である。図６の６０１は表示部である。また、６０２は十字ボタンであり、再生画像の送り／戻し機能や、撮像装置の機能設定を始めとして、選択、決定に関わる機能を有する。
【００３７】
本撮像装置における図１に示す表示制御部１１０の制御について、図７を用いて説明する。
図７（ア）は、記録媒体に記録された図２（ア）の広角撮像画像を表示部６０１に表示した様子である。ここで、図１に示す操作入力部１０７より広角撮像画像の一部領域の拡大表示、いわゆる再生ズームが指示されると図７（イ）に示すように、広角撮像画像の一部領域が拡大表示される。
【００３８】
図７（ウ）に示す図は、図７（イ）で示す広角撮像画像をさらに拡大表示した図である。この場合、撮像時に画像データとともに記録された広角撮像画像の光学ズーム情報と、望遠撮像画像の光学ズーム情報より、表示部６０１に拡大表示された領域が、図２（イ）に示す同タイミングに撮像された望遠撮像画像の画角内であると検出された場合である。表示部６０１に同時に撮像した図２（イ）に示す望遠撮像画像の存在を操作者に知らせるために、十字ボタンを示すマーカー７０１が表示される。表示部６０１へマーカー７０１を表示中に、操作者がマーカー７０１に示されているように、図６で示す本撮像装置の背面部にある十字ボタン６０２の決定ボタンを押したとする。
【００３９】
すると、図７（エ）で示すように表示部６０１に表示される画像が、ファイル名ＡＡＡ０００１Ｗ．ＪＰＧである広角撮像画像から、ファイル名ＡＡＡ０００１Ｔ．ＪＰＧである望遠撮像画像に切り替わる。また、図７（エ）に示すように望遠撮像画像表示中に画像表示率１００％、すなわち再生ズームが使用されていない場合には、表示部６０１上に同時に撮像した広角撮像画像の存在を操作者に知らせるマーカー７０２を表示する。
【００４０】
次に、図７（オ）は望遠撮像画像表示中に、操作入力部１０７より拡大表示が指示されて、望遠撮像画像の一部領域を拡大表示した図である。拡大表示されることで、図７（エ）のマーカー７０２は非表示となる。
次に、図７（オ）に示す拡大表示の状態から、操作入力部１０７の指示により、画像表示率１００％とした図を図７（カ）に示す。
【００４１】
画像表示率１００％となることで、マーカー７０３が表示される。表示部６０１へマーカー７０３を表示中に、操作者がマーカー７０３に示されるように、図６の十字ボタン６０２の決定ボタンを押す。これにより、図７（キ）で示すように表示画像がファイル名ＡＡＡ０００１Ｔ．ＪＰＧである望遠撮像画像から、ファイル名ＡＡＡ０００１Ｗ．ＪＰＧである広角撮像画像に切り替わる。
【００４２】
（第３の実施形態）
本実施形態で用いる撮像装置の構成を示すブロック図は、図１と同様であるので図示および詳細な説明を省略する。また、本実施形態の２眼撮像装置を用いて異なる光学ズーム比で、同一の被写体を同タイミングに撮像した２つの画像を示す図も前述した第１の実施形態の図２と同様であるので、図示および詳細な説明を省略する。
【００４３】
図８は、記録媒体に記録された図２（ア）の広角撮影画像を撮像装置の表示部に表示した様子である。ここで、操作者の指示により拡大表示が指示される。
図８（ア）は、記録画像の全域表示図であり、図８（イ）、（ウ）、（エ）は、図８（ア）の中心部分を拡大表示したものである。
【００４４】
ここで、拡大表示について詳細に説明する。図８（イ）、（ウ）を表示する場合には、図２（ア）で示した広角撮像画像の一部を切り出し拡大表示する。画像の一部を切り出して拡大表示するために、拡大率が上がるにつれて、画像の解像感は落ちることとなる。
次に、図８（エ）の表示において、表示領域が、図２（イ）に示した望遠撮像画像の画角内であるために、図２（ア）に示す広角撮像画像ではなく、図２（イ）に示す望遠撮像画像の一部を切り出したものを拡大表示する。
【００４５】
前述した拡大表示における処理を図９のフローチャートを用いて説明する。
まず、記録媒体内の撮像画像（以下、Ａ画像）の再生を行う（Ｓ９０１）。次に、操作者の入力に応じて拡大表示指示を行う（Ｓ９０２）。次に、現在再生中のＡ画像と同タイミングで撮像した画像（以下、Ｂ画像）があるか否かの判定を行う（Ｓ９０３）。同タイミングで撮像した画像がないと判定された場合には、Ｓ９０２の拡大指示に従い、Ａ画像の拡大表示し（Ｓ９０４）、終了する。
【００４６】
また、同時撮像画像ありと判定された場合には、Ｂ画像がＡ画像より望遠側の設定で撮像された画像か否かを判定する（Ｓ９０５）。Ｂ画像が望遠側画像でない場合は、Ｓ９０４にてＡ画像を拡大表示する。また、Ｂ画像が望遠側画像と判定された場合には、Ｓ９０２にて拡大指示した領域が、Ｂ画像の画角内であるか否かを判定する（Ｓ９０６）。拡大指示領域がＢ画像画角内でない場合は、Ｓ９０４にてＡ画像を拡大表示する。また、拡大指示領域がＢ画像画角内である場合には、Ｓ９０２の拡大表示指示に従って、Ｂ画像の拡大表示を行う（Ｓ９０７）。
【００４７】
前述したフローチャートでは、Ｓ９０６にて、拡大指示領域がＢ画像画角内であればＢ画像に切り替えて指示領域を拡大表示しているが、切り替えは行わず、操作者にＢ画像があることを警告表示するだけでもよいものとする。
【００４８】
（第４の実施形態）
第３の実施形態では、拡大表示に関して説明したが、本実施形態では、トリミング印刷に関わる処理について説明する。
図１０は、本実施形態で用いる撮像装置のブロック図である。図１０の１０１〜１１３は図１と同じ構成のため説明を省略する。図１０の外部出力制御部１０１４は、ＣＰＵ１０６の指示に基づき、メモリ１０８から画像データを読みだす。そして、撮像画像を印刷用として外部機器へ出力する外部出力部として設けられている外部出力端子１０１５へデータを出力する。外部出力端子１０１５には、例えばプリンタを接続して、出力した画像データを印刷する。
【００４９】
次に、トリミング印刷処理について、図１１のフローチャートを用いて説明する。
まず、記録媒体内の撮像画像（以下、Ａ画像）の再生を行う（Ｓ１１０１）。次に、再生表示された画像を対象に、操作者の操作に応じて印刷領域指示（外部出力領域指示）を行う（Ｓ１１０２）。次に、現在再生中のＡ画像と同タイミングで撮像した画像（以下、Ｂ画像）があるか否かの判定を行う（Ｓ１１０３）。
【００５０】
同タイミングで撮像した画像が無いと判定された場合には、印刷の実行指示に従い、外部出力端子１０１５へＡ画像から印刷指示領域（Ｓ１１０２の印刷領域指示に応じて指定される画像領域）の画像データを出力し（Ｓ１１０４）、処理を終了する。また、同時撮像画像ありと判定された場合には、Ｂ画像がＡ画像より望遠側の設定で撮像された画像か否かを判定する（Ｓ１１０５）。
【００５１】
Ｂ画像が望遠側画像でない場合は、印刷の実行指示に従い、外部出力端子１０１５へＡ画像の印刷指示領域（Ｓ１１０２の印刷領域指示に応じて指定される画像領域）の画像データを出力する（Ｓ１１０４）。また、Ｂ画像が望遠側画像と判定された場合には、Ｓ１１０２にて印刷指示した領域が、Ｂ画像の画角内であるか否かを判定する（Ｓ１１０６）。印刷指示領域がＢ画像画角内でない場合は、印刷の実行指示に従い、外部出力端子１０１５へＡ画像から印刷指示領域（Ｓ１１０２の印刷領域指示に応じて指定される画像領域）の画像データを出力する（Ｓ１１０４）。また、印刷指示領域がＢ画像画角内となる場合には、印刷の実行指示に従い、外部出力端子１０１５へＢ画像から印刷指示領域（Ｓ１１０２の印刷領域指示に応じて指定される画像領域）の画像データを出力する（Ｓ１１０７）。Ｓ１１０７では、印刷用のデータ出力を、表示されているＡ画像（拡大画像）から、望遠画像であるＢ画像からの切出し画像に切り替えて出力することになる。
【００５２】
前述したフローチャートでは、Ｓ１１０６にて、印刷指示領域がＢ画像画角内であればＢ画像に切り替えて外部出力端子１０１５へデータ出力を行うが、切り替えは行わず、操作者にＢ画像があることを警告表示するだけでもよいものとする。
【００５３】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５４】
１０１  撮像部、１０２  撮像部、１０３  撮像部制御部、１０４  メモリバス、１０５  ＣＰＵバス、１０６  ＣＰＵ、１０７  操作入力部、１０８  メモリ、１０９  圧縮/伸張処理部、１１０  表示制御部、１１１  表示部、１１２  記録媒体制御部、１１３  記録媒体
【図１】
2012191439.tif 000003
【図２】
2012191439.tif 000004
【図３】
2012191439.tif 000005
【図４】
2012191439.tif 000006
【図５】
2012191439.tif 000007
【図６】
2012191439.tif 000008
【図７】
2012191439.tif 000009
【図８】
2012191439.tif 000010
【図９】
2012191439.tif 000011
【図１０】
2012191439.tif 000012
【図１１】
2012191439.tif 000013